(57)【特許請求の範囲】
【請求項１】
複数ページから構成される情報を表示する表示装置において、
表示部と、
入力を受け付け、前記入力の位置を検出するタッチセンサと、
前記タッチセンサのタッチ面に対する押圧荷重を検出する荷重検出部と、
前記タッチ面または前記表示装置の基準角度からの傾きを検出する傾き検出部と、
前記タッチセンサにより検出された位置に基づいて移動を算出し、前記算出された移動、前記荷重検出部により検出された押圧荷重および前記傾き検出部により検出された傾きが、それぞれ、所定の閾値以上の場合、前記情報のページをめくるように前記表示部の表示を書き換える制御部と、
を備えることを特徴とする表示装置。
【請求項２】
前記制御部は、前記タッチセンサにより検出された位置に基づいて所定位置からの移動距離を算出し、前記算出された移動距離、前記荷重検出部により検出された押圧荷重および前記傾き検出部により検出された傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とする請求項１に記載の表示装置。
【請求項３】
前記制御部は、前記傾き検出部により検出された傾きが所定の閾値以上の場合、前記表示部に、ページめくりを促す画像を表示することを特徴とする請求項１または２に記載の表示装置。
【請求項４】
前記荷重検出部は、前記タッチセンサのタッチ面の両端に対する押圧荷重を検出し、
前記制御部は、前記荷重検出部により検出された押圧荷重が、所定の閾値以上の場合、前記表示部の表示を書き換えることを特徴とする請求項１〜３のいずれか１項に記載の表示装置。
【請求項５】
前記制御部は、前記タッチセンサにより前記タッチ面の両端に対する入力が検出された場合、前記表示部の表示を書き換えることを特徴とする請求項１〜３のいずれか１項に記載の表示装置。
【請求項６】
前記表示装置は、前記タッチ面を振動させる触感呈示部をさらに備え、
前記制御部は、前記表示部の表示を書き換える際に、前記タッチ面を振動させるように触感呈示部を制御することを特徴とする請求項１〜５のいずれか１項に記載の表示装置。
【請求項７】
表示部と、
入力を受け付け、前記入力の位置を検出するタッチセンサと、
前記タッチセンサのタッチ面に対する押圧荷重を検出する荷重検出部と、
前記タッチ面または表示装置の基準角度からの傾きを検出する傾き検出部と、
を備え、複数ページから構成される情報を表示する表示装置の制御方法であって、
前記タッチセンサにより検出された位置に基づいて移動を算出し、前記算出された移動、前記荷重検出部により検出された押圧荷重および前記傾き検出部により検出された傾きが、それぞれ、所定の閾値以上の場合、前記情報のページをめくるように前記表示部の表示を書き換えることを特徴とする表示装置の制御方法。
【請求項８】
前記タッチセンサにより検出された位置に基づいて所定位置からの移動距離を算出し、前記算出された移動距離、前記荷重検出部により検出された押圧荷重および前記傾き検出部により検出された傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とする請求項７に記載の表示装置の制御方法。
【請求項９】
前記傾き検出部により検出された傾きが所定の閾値以上の場合、前記表示部に、ページめくりを促す画像を表示することを特徴とする請求項７または８に記載の表示装置の制御方法。
【請求項１０】
前記荷重検出部が、前記タッチセンサのタッチ面の両端に対する押圧荷重を検出し、
前記荷重検出部により検出された押圧荷重が、所定の閾値以上の場合、前記表示部の表示を書き換えることを特徴とする請求項７〜９のいずれか１項に記載の表示装置の制御方法。
【請求項１１】
前記タッチセンサにより前記タッチ面の両端の対する入力が検出された場合、前記表示部の表示を書き換えることを特徴とする請求項７〜９のいずれか１項に記載の表示装置の制御方法。
【請求項１２】
前記タッチ面を振動させる触感呈示部をさらに備える表示装置の制御方法であって、
前記表示部の表示を書き換える際に、前記タッチ面を振動させるように触感呈示部を制御することを特徴とする請求項７〜１１のいずれか１項に記載の表示装置の制御方法。
【発明の詳細な説明】
【技術分野】
【０００１】
本発明は、複数ページから構成される情報のページをめくるように表示を書き換える表示装置および表示装置の制御方法に関するものである。
【背景技術】
【０００２】
近年、文字、画像、音声などの情報を電子メディアに記録し、書籍のように利用する出版形態である電子ブックが実用化されている。例えば、特許文献１では、電子ブックの表示部に接触した指の接触圧力および接触面積の少なくとも一方と、指の移動方向とに基づき、ページをめくるように表示を書き換える方法が開示されている。この方法を用いると、ユーザは本を読むときに近い感覚で電子ブックのアプリケーションを利用することができる。
【先行技術文献】
【特許文献】
【０００３】
【特許文献１】特開２０００−１６３１９３号公報
【発明の概要】
【発明が解決しようとする課題】
【０００４】
しかしながら、上述した特許文献１に記載の技術では、ユーザにページをめくる意志がなかったとしても、ページがめくられてしまうという誤作動を引き起こす可能性があった。例えば、ユーザはタッチセンサのタッチ面の端を持っているつもりであっても、実際には指がタッチセンサの検出領域に置かれていたとする。このときに、何かのきっかけで指に力が入り、タッチセンサに圧力をかけて指を移動させると、ユーザの意志とは関係なくページがめくられてしまうことになる。
【０００５】
かかる点に鑑みてなされた本発明の目的は、ユーザの意思とは無関係にページめくりが行われることを防止し、人が本を読むときに近い感覚で操作することができる表示装置および表示装置の制御方法を提供することにある。
【課題を解決するための手段】
【０００６】
上記目的を達成する第１の観点に係る表示装置の発明は、
複数ページから構成される情報を表示する表示装置において、
表示部と、
入力を受け付け、前記入力の位置を検出するタッチセンサと、
前記タッチセンサのタッチ面に対する押圧荷重を検出する荷重検出部と、
前記タッチ面または前記表示装置の基準角度からの傾きを検出する傾き検出部と、
前記タッチセンサにより検出された位置に基づいて移動を算出し、前記算出された移動、前記荷重検出部により検出された押圧荷重および前記傾き検出部により検出された傾きが、それぞれ、所定の閾値以上の場合、前記情報のページをめくるように前記表示部の表示を書き換える制御部と、
を備えることを特徴とするものである。
【０００７】
第２の観点に係る表示装置の発明は、第１の観点に係る表示装置において、
前記制御部は、前記タッチセンサにより検出された位置に基づいて所定位置からの移動距離を算出し、前記算出された移動距離、前記荷重検出部により検出された押圧荷重および前記傾き検出部により検出された傾きが、それぞれ、所定の閾値以上の場合、前記情報のページをめくるように前記表示部の表示の書き換え、その後の表示の書き換えは、前記荷重検出部により検出される押圧荷重および前記傾き検出部により検出される傾きに基づいて制御することを特徴とするものである。
【０００８】
第３の観点に係る表示装置の発明は、第１または２の観点に係る表示装置において、
前記制御部は、前記傾き検出部により検出された傾きが所定の閾値以上の場合、前記表示部に、ページめくりを促す画像を表示することを特徴とするものである。
【０００９】
第４の観点に係る表示装置の発明は、第１〜３の観点に係る表示装置において、
前記荷重検出部は、前記タッチセンサのタッチ面の両端に対する押圧荷重を検出し、
前記制御部は、前記荷重検出部により検出された押圧荷重が、所定の閾値以上の場合、前記表示部の表示を書き換えることを特徴とするものである。
【００１０】
第５の観点に係る表示装置の発明は、第１〜３の観点に係る表示装置において、
前記制御部は、前記タッチセンサにより前記タッチ面の両端に対する入力が検出された場合、前記表示部の表示を書き換えることを特徴とするものである。
【００１１】
第６の観点に係る表示装置の発明は、第１〜５の観点に係る表示装置において、
前記表示装置は、前記タッチ面を振動させる触感呈示部をさらに備え、
前記制御部は、前記表示部の表示を書き換える際に、前記タッチ面を振動させるように触感呈示部を制御することを特徴とするものである。
【００１２】
第７の観点に係る表示装置の制御方法の発明は、
表示部と、
入力を受け付け、前記入力の位置を検出するタッチセンサと、
前記タッチセンサのタッチ面に対する押圧荷重を検出する荷重検出部と、
前記タッチ面または表示装置の基準角度からの傾きを検出する傾き検出部と、
を備え、複数ページから構成される情報を表示する表示装置の制御方法であって、
前記タッチセンサにより検出された位置に基づいて移動を算出し、前記算出された移動、前記荷重検出部により検出された押圧荷重および前記傾き検出部により検出された傾きが、それぞれ、所定の閾値以上の場合、前記情報のページをめくるように前記表示部の表示を書き換えることを特徴とするものである。
【００１３】
第８の観点に係る表示装置の制御方法の発明は、第７の観点に係る表示装置の制御方法において、
前記タッチセンサにより検出された位置に基づいて所定位置からの移動距離を算出し、前記算出された移動距離、前記荷重検出部により検出された押圧荷重および前記傾き検出部により検出された傾きが、それぞれ、所定の閾値以上の場合、前記情報のページをめくるように前記表示部の表示を書き換え、その後の表示の書き換えは、前記荷重検出部により検出される押圧荷重および前記傾き検出部により検出される傾きに基づいて制御することを特徴とするものである。
【００１４】
第９の観点に係る表示装置の制御方法の発明は、第７または８の観点に係る表示装置の制御方法において、
前記傾き検出部により検出された傾きが所定の閾値以上の場合、前記表示部に、ページめくりを促す画像を表示することを特徴とするものである。
【００１５】
第１０の観点に係る表示装置の制御方法の発明は、第７〜９の観点に係る表示装置の制御方法において、
前記荷重検出部が、前記タッチセンサのタッチ面の両端に対する押圧荷重を検出し、
前記荷重検出部により検出された押圧荷重が、所定の閾値以上の場合、前記表示部の表示を書き換えることを特徴とするものである。
【００１６】
第１１の観点に係る表示装置の制御方法の発明は、第７〜９の観点に係る表示装置の制御方法において、
前記制御部は、前記タッチセンサにより前記タッチ面の両端に対する入力が検出された場合、前記表示部の表示を書き換えることを特徴とするものである。
【００１７】
第１２の観点に係る表示装置の制御方法の発明は、第７〜１１の観点に係る表示装置の制御方法において、
前記タッチ面を振動させる触感呈示部をさらに備える表示装置の制御方法であって、
前記表示部の表示を書き換える際に、前記タッチ面を振動させるように触感呈示部を制御することを特徴とするものである。
【発明の効果】
【００１８】
本発明に係る表示装置および表示装置の制御方法によれば、ユーザの意思とは無関係にページめくりが行われることを防止し、人が本を読むときに近い感覚で操作することができる。
【図面の簡単な説明】
【００１９】
【図１】本発明の第１実施の形態に係る表示装置の機能ブロック図である。
【図２】本発明の第１実施の形態に係る表示装置の操作方法を示す図である。
【図３】本発明の第１実施の形態に係る表示装置によるページめくり動作を示すフローチャートである。
【図４】本発明の第１実施の形態に係る表示装置によるページめくりの動作概要の一例を示す図である。
【図５】本発明の第１実施の形態に係る表示装置によるページめくりの動作概要の一例を示す図である。
【図６】本発明の第１実施の形態に係る表示装置によるページめくりの動作概要の一例を示す図である。
【図７】本発明の第２実施の形態に係る表示装置によるページめくり動作を示すフローチャートである。
【図８】本発明の第３実施の形態に係る表示装置の操作方法を示す図である。
【図９】本発明の第３実施の形態に係る表示装置によるページめくり動作を示すフローチャートである。
【図１０】本発明の第４実施の形態に係る表示装置によるページめくり動作を示すフローチャートである。
【図１１】本発明の第５実施の形態に係る表示装置の機能ブロック図である。
【図１２】本発明の第５実施の形態に係る表示装置によるページめくり動作を示すフローチャートである。
【発明を実施するための形態】
【００２０】
以下、本発明に係る表示装置および表示装置の制御方法の実施の形態について、図面を参照して説明する。
（第１実施の形態）
図１は、本発明の第１実施の形態に係る表示装置の機能ブロック図である。この表示装置は、複数ページから構成される情報のページをめくるように表示を書き換える装置であって、タッチセンサ１、荷重検出部２、傾き検出部３、表示部４、記憶部５、および制御部６を有する。
【００２１】
タッチセンサ１は、タッチ面に対する指等のタッチ対象による入力を受け付け、この入力の二次元の位置を検出する。タッチセンサ１は、例えば、抵抗膜方式、静電容量方式、光学式等の公知のもので構成される。荷重検出部２は、タッチセンサ１のタッチ面に対する指等の押圧対象の押圧荷重を検出する。荷重検出部２は、例えば、歪みゲージセンサや圧電素子等の押圧荷重に対してリニアに反応する素子を用いて構成される。荷重検出部２は、押圧荷重を検出するための圧電素子等をタッチセンサの端部に複数設置することにより、タッチパネルが複数の位置を同時に押圧されたとしても、複数設置されたそれぞれの圧電素子等の出力から、同時に押圧されたそれぞれの位置および押圧荷重を検出することができる。傾き検出部３は、タッチセンサ１のタッチ面または表示装置の基準角度からの傾きを検出する。傾き検出部３は、例えば、ジャイロスコープや加速度センサ等の傾きセンサを用いて構成される。ここで、基準角度とは、水平方向または水平面（地球の重力と直角に交わる方向または平面）を０度の角度としたものである。なお、基準角度は、適宜設定変更可能であり、例えば、タッチ面等が水平方向または水平面から２０度傾いた方向を基準角度と設定することができる。
【００２２】
表示部４は、電子ブックのアプリケーション画面（書籍の見開きページ）およびアイコンや押しボタン等の入力用オブジェクトを表示するものであり、タッチセンサ１の背面側（タッチ面と逆側）に配置される。表示部４は、例えば、液晶表示パネルや有機ＥＬ表示パネルを用いて構成される。記憶部５は、タッチセンサ１で検出された位置、荷重検出部２で検出された押圧荷重、傾き検出部３で検出された傾きを記憶する。記憶部５は、さらに、傾き、押圧荷重および移動に関連する閾値を記憶する。記憶部５は、例えば、揮発性又は不揮発性メモリ等を用いて構成される。
【００２３】
制御部６は、タッチセンサ１が検出した、指等の入力の位置に基づいて、移動を算出する。ここで、移動とは、単位時間当たりの指の移動量、あるいは、所定位置からの指の移動距離を意味する。また、算出とは、数式を用いたものに限定されず、比較処理等の種々の処理に基づくものを含むものである。制御部６は、移動、傾きおよび押圧荷重が、それぞれ、上述した閾値以上であるか否かを判定し、判定結果に基づいて表示部４の表示を書き換えて、ページめくりを実行する。なお、ページめくりとは、実際に本を読むときのようにページをめくる画像を表示させて表示部４の表示を書き換える場合だけでなく、ページをめくる画像を表示させることなく表示部４の表示を書き換える場合や、ページをスクロールさせながら表示部４の表示を書き換える場合も含むものとする。
【００２４】
図２は、本発明の第１実施の形態に係る表示装置の操作方法を示す図である。図２（ａ）では、本発明の表示装置上で、電子ブックのアプリケーションが起動中であり、表示部４には現在読み進めている書籍（横書き）の１〜２ページ目が見開きで表示されている。表示装置はｘｙ平面（基準角度）に置かれている。ユーザは、図２（ｂ）に示すように、表示装置の右側を持ち上げて、表示装置のタッチ面をｚ方向に傾ける。この状態で、ユーザが、タッチセンサ１の右側（２ページ目）の端部で、圧力をかけて指をｘ方向（図中右側）に動かす。このとき、傾き検出部３で検出された傾きが閾値以上であり、荷重検出部２で検出された押圧荷重が閾値以上であり、タッチセンサ１で検出された位置に基づき、制御部６で算出された移動が閾値以上である場合、図２（ｃ）に示すように、表示部４に表示されるページがめくられる。
【００２５】
図２（ｃ）では、図２（ｂ）の状態から１ページがめくられ、３〜４ページ目が見開きで表示されている。この状態で、ユーザが、タッチセンサ１の右側（４ページ目）の端部で、圧力をかけて指をｘ方向に動かすと、さらに表示部４に表示されるページがめくられる。図示例では、右側が高くなるように表示装置のタッチ面を傾けているため、横書きの本であれば本を読み進める方向でページがめくられることになり、人が本を読むときに近い感覚でアプリケーションを操作することができる。なお、図示例では、ページをめくる方向であるｘ方向に指を動かした場合を例に説明しているが、指を動かす方向は任意の方向とすることができる。
【００２６】
第１実施の形態に係る表示装置によるページめくり動作について、図３に示すフローチャートを参照して説明する。ステップＳ１０１において、傾き検出部３は、タッチセンサ１のタッチ面の傾きを検出する。制御部６は、検出された傾きを記憶部５に格納する。ステップＳ１０２において、荷重検出部２は、ユーザの指による押圧荷重を検出する。制御部６は、検出された押圧荷重を記憶部５に格納する。ステップＳ１０３において、タッチセンサ１は、ユーザの指による入力の位置を検出する。制御部６は、検出された位置に基づき、単位時間当たりの移動量を算出し、移動として記憶部５に格納する。
【００２７】
ステップＳ１０４において、制御部６は、ステップＳ１０１からステップＳ１０３において検出され、記憶部５に格納された傾き、押圧荷重および移動が、それぞれ、所定の条件を満足しているか否かを判定する。すなわち、制御部６は、各データが、記憶部５に格納されている傾き、押圧荷重および移動に関連する閾値以上であるか否かを判定する。ステップＳ１０４において、傾き、押圧荷重および移動の全てが所定の条件を満足していると判定する場合（ＹＥＳの場合）、制御部６は、ステップＳ１０５において、表示部４の表示を書き換えてページをめくり、処理をステップＳ１０１に戻す。ステップＳ１０４において、傾き、押圧荷重および移動の少なくとも１つが所定の条件を満足していないと判定する場合（ＮＯの場合）、制御部６は、処理を終了する。なお、ステップＳ１０１からステップＳ１０３は、図示例の順番に限定されることはなく、任意の順番とすることができる。
【００２８】
第１実施の形態に係る表示装置によるページめくりの動作概要について、図４〜図６を参照して説明する。図４（ａ）は、横軸に時間、縦軸に単位時間当たりの指の移動量を表し、図４（ｂ）は、横軸に時間、縦軸に押圧荷重を表し、図４（ｃ）は、横軸に時間、縦軸にタッチ面の傾きを表している。まず、ユーザが表示装置を傾けると、図４（ｃ）に示すように、時間Ｔ１において、表示装置のタッチ面の傾きは、閾値Ａ以上となる。次に、ユーザがタッチ面を指等で押圧すると、図４（ｂ）に示すように、時間Ｔ２において、ユーザの指等による押圧荷重は閾値Ｐ以上となる。そして、ユーザがタッチ面上で指等を移動させると、図４（ａ）に示すように、時間Ｔ３において、単位時間当たりの指の移動量は閾値Ｌ以上となる。時間Ｔ３では、タッチセンサ１のタッチ面の傾き、押圧荷重、単位時間当たりの指の移動量の全てが所定条件を満たしたため、制御部６は、表示部４の表示を書き換えて、ページめくりを開始する。時間Ｔ３から時間Ｔ４までは、制御部６は、上記所定条件を満たすと判定し、ページをめくり続けるように表示部４の表示を連続的に書き換える。時間Ｔ４において、図４（ｃ）に示すように、タッチセンサ１のタッチ面の傾きが閾値Ａ未満になると、制御部６は、ページめくりを終了する。
【００２９】
図５（ａ）は、横軸に時間、縦軸に単位時間当たりの指の移動量を表し、図５（ｂ）は、横軸に時間、縦軸に押圧荷重を表し、図５（ｃ）は、横軸に時間、縦軸にタッチ面の傾きを表している。図４の動作概要と異なる点として、図５の動作概要では、時間Ｔ４において、押圧荷重が閾値Ｐ未満になったため、制御部６は、ページめくりを終了する。
【００３０】
図６（ａ）は、横軸に時間、縦軸に単位時間当たりの指の移動量を表し、図６（ｂ）は、横軸に時間、縦軸に押圧荷重を表し、図６（ｃ）は、横軸に時間、縦軸にタッチ面の傾きを表している。図４の動作概要と異なる点として、図６の動作概要では、時間Ｔ４において、指の移動量が閾値Ｌ未満になったため、制御部６は、ページめくりを終了する。
【００３１】
このように、本実施の形態によれば、表示装置の傾き、指の移動および押圧荷重の３つの値に基づいて、情報のページをめくるように表示部の表示を書き換えるので、ユーザの意思とは無関係にページめくりが行われることを防止し、人が本を読むときに近い感覚でページをめくる操作をすることができる。
【００３２】
（第２実施の形態）
第２実施の形態では、単位時間当たりの指の移動量の代わりに、タッチ面上の所定位置からの指の移動距離に基づいて、ページめくりを行う。なお、第２実施の形態に係る表示装置の構成は第１実施の形態に係る表示装置と同一であり、各構成部の説明は省略する。第２実施の形態に係る表示装置によるページめくり動作について、図７に示すフローチャートを参照して説明する。
【００３３】
ステップＳ２０１において、傾き検出部３は、タッチセンサ１のタッチ面の傾きを検出する。ステップＳ２０２において、制御部６は、ステップＳ２０１で検出された傾きが、記憶部５に格納されている傾きに関連する閾値以上であるか否かを判定する。ステップＳ２０２において、制御部６は、傾きが閾値以上であると判定した場合（ＹＥＳの場合）、ステップ２０３において、タッチセンサ１は、ユーザの指による入力の位置を検出する。制御部６は、検出された位置に基づいて、タッチ面上の所定位置からの移動距離を移動として算出する。ステップＳ２０４において、荷重検出部２は、ユーザの指による押圧荷重を検出する。ステップＳ２０５において、制御部６は、ステップＳ２０３で算出された移動およびステップＳ２０４で検出された押圧荷重が、所定の条件を満足しているか否かを判定する。
【００３４】
ステップＳ２０５において、移動および押圧荷重の両方が閾値以上であると判定した場合（ＹＥＳの場合）、制御部６は、ステップＳ２０６において、表示部４の表示を書き換えてページをめくる。ステップＳ２０７において、傾き検出部３は、タッチセンサ１のタッチ面の傾きを検出する。ステップＳ２０８において、荷重検出部２は、ユーザの指による押圧荷重を検出する。ステップＳ２０９において、制御部６は、ステップＳ２０７で検出された傾きおよびステップＳ２０８で検出された押圧荷重が、所定の条件を満足しているか否かを判定する。
【００３５】
ステップＳ２０９において、傾きおよび押圧荷重の両方が閾値以上であると判定した場合（ＹＥＳの場合）、制御部６は、処理をステップＳ２０６に戻し、表示部４の表示を書き換えてページをめくる。ステップＳ２０９において、傾きおよび押圧荷重の少なくとも一方が閾値未満であると判定した場合（ＮＯの場合）、制御部６は、処理を終了する。同様に、ステップＳ２０２において、傾きが閾値未満であると判定した場合（ＮＯの場合）、および、ステップＳ２０５において、移動および押圧荷重の少なくとも一方が閾値未満であると判定した場合（ＮＯの場合）、制御部６は、処理を終了する。なお、ステップＳ２０３とステップＳ２０４は、図示例の順番に限定されることはなく、逆順とすることもできる。また、ステップＳ２０７とステップＳ２０８は、図示例の順番に限定されることはなく、逆順とすることもできる。
【００３６】
このように、本実施の形態によれば、タッチ面上のある地点から所定の距離だけ指を移動させた後に指の移動を停止しても、傾きおよび押圧荷重が所定の条件を満足していると、連続的に情報のページをめくるように表示部の表示を書き換えるので、人が本を読むときにより近い感覚で、快適なスピードでページをめくる操作をすることができる。
【００３７】
（第３実施の形態）
本発明の第３実施の形態では、ユーザに対してページめくりを促す画像（入力用オブジェクト）を表示部４に表示させる。なお、第３実施の形態に係る表示装置の構成は第１実施の形態に係る表示装置と同一であり、各構成部の説明は省略する。図８は、本発明の第３実施の形態に係る表示装置の操作方法を示す図である。
【００３８】
図８（ａ）に示すように、表示部４には縦書きの書籍の１〜２ページ目が見開きで表示されている。表示装置は、ｘｙ平面に置かれている。ユーザは、図８（ｂ）に示すように、表示装置の左側を持ち上げて、表示装置のタッチ面をｚ方向に傾ける。すると、表示部４の左側（２ページ目）の端部に、ページめくりを促す画像として、書籍の端に見られるページの折り重なりを表現する画像（以下、「ページめくり画像」と称する）が表示される。この状態で、図８（ｃ）に示すように、ユーザが、このページめくり画像の位置に圧力をかけて指を−ｘ方向（図中左側）に動かす。このとき、傾き検出部３で検出された傾きが閾値以上であり、荷重検出部２で検出された押圧荷重が閾値以上であり、タッチセンサ１で検出された位置に基づき、制御部６で算出された移動が閾値以上である場合、表示部４に表示されるページがめくられる。
【００３９】
図８（ｃ）では、図８（ｂ）の状態から１ページがめくられ、３〜４ページ目が見開きで表示されている。この状態で、ユーザが、タッチセンサ１の左側（４ページ目）の端部で、圧力をかけて指を−ｘ方向に動かすと、さらに表示部４に表示されるページがめくられる。図示例では、左側が高くなるように表示装置のタッチ面を傾けているため、縦書きの本であれば本を読み進める方向でページがめくられることになり、人が本を読むときに近い感覚でアプリケーションを操作することができる。なお、入力用オブジェクトとしてのページめくり画像は、図示例のような書籍の端に見られるページの折り重なりを表現する画像に限定されることはなく、例えば矢印記号のような任意の画像とすることができる。
【００４０】
第３実施の形態に係る表示装置によるページめくり動作について、図９に示すフローチャートを参照して説明する。ステップＳ３０１において、傾き検出部３は、タッチセンサ１のタッチ面の傾きを検出する。ステップＳ３０２において、制御部６は、記憶部５に格納されている傾きに関連する閾値を読み出し、ステップＳ３０１で検出された傾きが、この閾値以上であるか否かを判定する。ステップＳ３０２において、傾きが閾値以上であると判定した場合（ＹＥＳの場合）、ステップＳ３０３において、制御部６は、表示部４にページめくり画像を表示する。
【００４１】
ステップＳ３０４において、荷重検出部２は、ユーザの指による押圧荷重を検出する。ステップＳ３０５において、タッチセンサ１は、ユーザの指による入力の位置を検出する。制御部６は、検出された位置が、ページめくり画像を表示した位置であるか否かを判定した上で、この検出された位置に基づいて、単位時間当たりの移動量を移動として算出する。ステップＳ３０６において、制御部６は、ステップＳ３０４で検出された押圧荷重およびステップＳ３０５で算出された移動が、所定の条件を満足しているか否かを判定する。
【００４２】
ステップＳ３０６において、押圧荷重および移動の両方が所定の条件を満足していると判定した場合（ＹＥＳの場合）、制御部６は、ステップＳ３０７において、表示部４の表示を書き換えてページをめくり、処理をステップＳ３０１に戻す。ステップＳ３０６において、押圧荷重および移動の少なくとも一方が所定の条件を満たしていないと判定した場合（ＮＯの場合）、制御部６は、処理を終了する。ステップＳ３０２において、傾きが閾値未満であると判定した場合（ＮＯの場合）、制御部６は、処理をステップＳ３０８に進める。ステップＳ３０８において、制御部６は、表示部４にページめくり画像が表示されている場合は、その画像を非表示にする。
【００４３】
なお、この実施の形態において、移動とは、単位時間当たりの指の移動量であるとして説明したが、第２実施の形態のように、所定位置からの指の移動距離とすることもできる。また、ステップＳ３０４とステップＳ３０５は、図示例の順番に限定されることはなく、逆順とすることもできる。
【００４４】
このように、本実施の形態によれば、ページめくり画像を表示部４に表示させることにより、ページめくりに対してユーザの注意を促すので、さらに、誤動作を防止することができる。
【００４５】
（第４実施の形態）
本発明の第４実施の形態では、表示装置のタッチ面の左右両端で押圧荷重を検出した際にページめくりが実行される。これは、実際に本のページをめくる際に、本の両端から圧力をかけて、本をたわませた状態でページをめくる場面を想定している。したがって、ここで両端とは、例えば、ユーザが表示装置を両手で把持した際に、親指が届くタッチ面の範囲をいう。なお、この両端に対応する範囲は、適宜設定変更可能であり、様々な大きさの範囲を設定できる。なお、第４実施の形態に係る表示装置の構成は第１実施の形態に係る表示装置と同一であり、各構成部の説明は省略する。第４実施の形態に係る表示装置によるページめくり動作について、図１０に示すフローチャートを参照して説明する。
【００４６】
ステップＳ４０１において、傾き検出部３は、タッチセンサ１のタッチ面の傾きを検出する。ステップＳ４０２において、荷重検出部２は、タッチ面の左右両端におけるユーザの指による押圧荷重を検出する。ステップＳ４０３において、タッチセンサ１は、ユーザの指による入力の位置を検出する。制御部６は、検出された位置に基づき、単位時間当たりの指の移動量を移動として算出する。なお、ここでは、タッチ面の左右両端におけるユーザの指による入力の位置を検出して、２箇所の移動量を算出しても、左右一方におけるユーザの指による入力の位置を検出して、１箇所の移動量を算出してもよい。
【００４７】
ステップＳ４０４において、制御部６は、ステップＳ４０１からステップＳ４０３において検出された傾き、両端における押圧荷重および移動が、それぞれ、所定の条件を満足しているか否かを判定する。すなわち、制御部６は、各データが、記憶部５に格納されている傾き、押圧荷重および移動に関連する閾値以上であるか否かを判定する。ステップＳ４０４において、傾き、両端における押圧荷重および移動の全てが所定の条件を満足していると判定する場合（ＹＥＳの場合）、制御部６は、ステップＳ４０５において、表示部４の表示を書き換えてページをめくり、処理をステップＳ４０１に戻す。ステップＳ４０４において、傾き、両端における押圧荷重および移動の少なくとも１つが所定の条件を満足していないと判定する場合（ＮＯの場合）、制御部６は、処理を終了する。
【００４８】
なお、この実施の形態において、移動とは、単位時間当たりの指の移動量であるとして説明したが、第２実施の形態のように、所定位置からの指の移動距離とすることもできる。また、ステップＳ４０１からステップＳ４０３は、図示例の順番に限定されることはなく、任意の順番とすることができる。
【００４９】
このように、本実施の形態によれば、表示装置のタッチ面の左右両端で押圧荷重を検出するので、本をたわませてページをめくるという動作に近い感覚でページをめくる操作をすることができる。
【００５０】
（第５実施の形態）
本発明の第５実施の形態では、ページめくりに際してユーザに触感を呈示する。図１１は、本発明の第５実施の形態に係る表示装置の機能ブロック図である。この表示装置は、図１の構成に加えて触感呈示部７を有する。触感呈示部７は、タッチセンサ１のタッチ面を振動させるように制御部６によって制御され、ユーザの指等のタッチ対象に触感を呈示する。触感呈示部７は、例えば、小型の偏心モータや圧電素子を用いて構成される。なお、荷重検出部２および触感呈示部７を圧電素子を用いて構成する場合は、圧電素子を共用して荷重検出部および触感呈示部を構成することもできる。記憶部５は、触感呈示部７の駆動信号情報を記憶している。
【００５１】
第５実施の形態に係る表示装置によるページめくり動作について、図１２に示すフローチャートを参照して説明する。ステップＳ５０１において、傾き検出部３は、タッチセンサ１のタッチ面の傾きを検出する。ステップＳ５０２において、荷重検出部２は、ユーザの指による押圧荷重を検出する。ステップＳ５０３において、タッチセンサ１は、ユーザの指による入力の位置を検出する。制御部６は、検出された位置に基づき、単位時間当たりの指の移動量を移動として算出する。
【００５２】
ステップＳ５０４において、制御部６は、ステップＳ５０１からステップＳ５０３において検出された傾き、押圧荷重および移動が、それぞれ、所定の条件を満足しているか否かを判定する。すなわち、制御部６は、各データが、記憶部５に格納されている傾き、押圧荷重および移動に関連する閾値以上であるか否かを判定する。ステップＳ５０４において、傾き、押圧荷重および移動の全てが所定の条件を満足していると判定する場合（ＹＥＳの場合）、制御部６は、ステップＳ５０５において、表示部４の表示を書き換えてページをめくる。ステップＳ５０６において、制御部６は、記憶部５を参照し、触感を呈示する駆動信号の情報を取得して、この駆動信号により触感呈示部７を駆動する。そして、触感呈示部７はタッチ面を振動させて、ユーザに触感を呈示して、制御部６は、処理をステップＳ５０１に戻す。ステップＳ５０４において、傾き、押圧荷重および移動の少なくとも１つが所定の条件を満足していないと判定する場合（ＮＯの場合）、制御部６は、処理を終了する。
【００５３】
なお、この実施の形態において、移動とは、単位時間当たりの指の移動量であるとして説明したが、第２実施の形態のように、所定位置からの指の移動距離とすることもできる。ステップＳ５０１からステップＳ５０３は、図示例の順番に限定されることはなく、任意の順番とすることができる。また、ステップＳ５０５とステップＳ５０６は、図示例の順番に限定されることはなく、逆順とすることもできる。
【００５４】
このように、本実施の形態によれば、ページめくりに際してユーザに触感を呈示するので、実際にページをめくる動作に近い感覚でページをめくる操作をすることができる。
【００５５】
上述の実施形態は、代表的な例として説明したが、本発明の趣旨及び範囲内で、多くの変更及び置換ができることは当業者に明らかである。第４実施の形態では、荷重検出部２が、タッチセンサ１のタッチ面の両端に対する押圧荷重を検出すると、ページめくりが実行されるが、例えば、タッチセンサ１が、タッチ面の両端に対する入力を検出すると、ページめくりを実行してもよい。つまり、タッチセンサ１が、タッチ面の両端に対する入力を検出し、かつ、制御部６により算出された移動、荷重検出部２により検出された押圧荷重および傾き検出部３により検出された傾きが、それぞれ、所定の閾値以上の場合、情報のページをめくるように表示部の表示を書き換えてもよい。
【符号の説明】
【００５６】
１      タッチセンサ
２      荷重検出部
３      傾き検出部
４      表示部
５      記憶部
６      制御部
７      触感呈示部
【図１】
0005737883.tif 000002
【図２】
0005737883.tif 000003
【図３】
0005737883.tif 000004
【図４】
0005737883.tif 000005
【図５】
0005737883.tif 000006
【図６】
0005737883.tif 000007
【図７】
0005737883.tif 000008
【図８】
0005737883.tif 000009
【図９】
0005737883.tif 000010
【図１０】
0005737883.tif 000011
【図１１】
0005737883.tif 000012
【図１２】
0005737883.tif 000013